(57)【要約】【課題】縦方向に積み上げて表示装置を構成する表示ブロックの横方向の移動および固定を容易にする。【解決手段】表示ブロック２０ｄ，２０ｕの横方向の移動および固定は、背面に固定したスライド部材２４ｄ，２４ｕと水平方向に平行に配置したガイドレール３１ｄ，３１ｕとを用いて行われる。ガイドレール３１ｄ，３１ｕは、表示ブロック移動用レール４１ｄ，４１ｕと表示ブロック固定用レール４２ｄ，４２ｕとを有する。表示ブロック２０ｕは、直下の表示ブロック２０ｄと所定のクリアランスを保持しながらスライド部材２４ｕを表示ブロック移動用レール４１ｕに沿ってスライドさせることで移動される。表示ブロック２０ｕは、設置定位置にて表示ブロック固定ボルト５５ｕでスライド部材２４ｕを表示ブロック移動用レール４１ｕの背面側に引き込み、表示ブロック固定用レール４２ｕに固定することで固定される。【選択図】図８
2018054909.tif 000002
【特許請求の範囲】
【請求項１】
正面に複数の発光素子が配置され、背面にはスライド部材が設けられ、縦横に近接配置することで１つの表示画面が構成される複数の表示ブロックと、
前記表示ブロックの背面側に水平に配置され、内部の正面側に前記スライド部材をスライド自在に支持する第１のレベルおよび内部の背面側に前記第１のレベルよりも低い第２のレベルを有する複数のガイドレールと、
を備えている表示装置。
【請求項２】
前記スライド部材は、前記表示ブロックに固定される側とは反対側の端部に摺動部を有するとともに前記摺動部の中心軸に沿って前記摺動部の端面から雌ねじ部が形成されている、請求項１記載の表示装置。
【請求項３】
前記ガイドレールは、前記スライド部材をスライドさせるときに前記摺動部が脱落しないように開口部に折り返しを有するとともに前記表示ブロックの設置定位置にて前記スライド部材が位置するウェブに前記摺動部を貫通させる貫通孔を有する表示ブロック移動用レールと、正面側に前記表示ブロック移動用レールを収容して保持するとともに前記表示ブロック移動用レールの背面側に前記摺動部を配置するスペースを有する表示ブロック固定用レールとを有する、請求項２記載の表示装置。
【請求項４】
前記表示ブロック移動用レールは、リップ溝形鋼の形状、前記表示ブロック固定用レールは、溝形鋼の形状である、請求項３記載の表示装置。
【請求項５】
前記表示ブロックは、前記スライド部材の前記摺動部を前記スペースに配置し、前記雌ねじ部に表示ブロック固定ボルトをねじ込むことによって前記ガイドレールの前記表示ブロック固定用レールに固定されている、請求項３記載の表示装置。
【請求項６】
正面に複数の発光素子が配置された表示ブロックを縦横に近接配置することで１つの表示画面を構成する表示装置の設置方法であって、
前記表示ブロックを水平方向に平行に配置されたガイドレールの横に設置されたステージに下ろし、
前記表示ブロックの背面に固定されたスライド部材を前記ガイドレールのスライド面に設置して前記表示ブロックを前記ガイドレールに沿って横に移動させ、
前記表示ブロックの設置定位置にて前記表示ブロックを背面側に移動し、前記スライド部材を前記スライド面から離脱させて前記ガイドレールに固定する、
工程を含む、表示装置の設置方法。
【発明の詳細な説明】
【技術分野】
【０００１】
本発明は、野球場や陸上競技場などに設置されて競技の得点や競技者、さらには、演出用の映像を表示して観客などに知らせる大型の表示装置およびそのような表示装置を現場で作り出す設置方法に関する。
【背景技術】
【０００２】
スタジアムのような大型の建造物には、競技に関する情報を選手や観客がどこからでも見ることができるように視認性の高い大型の表示装置が設置されている。このような表示装置は、全体的に大型であるため、完成品を搬入して設置することができず、通常は、分割して製造された表示ブロック（または表示モジュールなど）を現場に搬入し、現場で表示ブロックを組み立てることによって構成する手法が採られている。
【０００３】
図１０は表示装置の従来の設置方法を示す斜視図、図１１は表示ブロックの従来の搬入方法を示す図であって、（Ａ）は表示装置の側面から見た図、（Ｂ）は表示装置の正面から見た図である。
【０００４】
表示装置は、図１０に示したように、搬送および組み立ての最小単位である表示ブロック１００を、あらかじめ設置場所に等間隔に立設された表示ブロック設置固定用鋼材１１０に表示ブロック固定ボルト１２０で固定していくことによって構成される。表示ブロック１００は、最初、表示装置の下辺を構成するように、横一列に並べて表示ブロック設置固定用鋼材１１０に固定される。その後、横一列に並べて固定された表示ブロック１００の上に、新たな表示ブロック１００が密着して積み上げられ、同じように横一列に並べられていく。このように、表示装置は、表示ブロック１００を下から順番に表示ブロック設置固定用鋼材１１０に固定していくことによって構成されていく。
【０００５】
このとき、表示ブロック１００は、図１１（Ａ）に示したように、建屋１３０の外側に設置された大型クレーン車１４０によって設置場所に搬入される。これは、スタジアムの中が芝生などでできていて、表示装置が設置されるスタジアム内には重機を入れることができないためである。
【０００６】
表示ブロック１００は、大型クレーン車１４０によって吊り上げられ、建屋１３０を跨ぎ越えて、建屋１３０と足場１５０との間の狭いスペースに下ろされる。この表示ブロック１００を下ろす作業は、大型クレーン車１４０のオペレータが表示ブロック１００の設置場所を直接目視することができないので、足場などに配置された作業員から無線または身振りで指示を受けながら時間をかけて慎重に行われる。
【０００７】
表示ブロック１００は、図１１（Ｂ）に示したように、大型クレーン車１４０によって固定位置の上部まで移動され、そこから固定位置まで下ろされる。固定位置まで下ろされた表示ブロック１００は、大型クレーン車１４０によって吊り下げられた状態のまま作業員により表示ブロック設置固定用鋼材１１０に固定される。１つの表示ブロック１００が表示ブロック設置固定用鋼材１１０に固定されると、その表示ブロック１００を吊り下げていたフックが外され、建屋１３０の外に用意された次の表示ブロック１００の搬送作業に移る。
【０００８】
このように、大型クレーン車１４０は、１つの表示ブロック１００の吊り上げから固定までの間、１つの表示ブロック１００に占有されるため、取り付け作業に時間がかかっていた。また、大型クレーン車１４０は、表示ブロック１００を固定位置の上部までそれぞれ移動してから固定位置まで慎重に下ろすため、多大の時間を要していた。
【０００９】
これに対し、表示ブロックを表示装置となる位置の横まで運搬しておけば、後は、運搬された表示ブロックを順次横方向に移動して連結していくことにより、表示装置を構成するような表示装置の設置方法が知られている（たとえば、特許文献１参照）。この特許文献１に記載の設置方法によれば、壁面に対して、水平方向に取り付けられたガイドレールに、表示装置を横方向に分割した分割モジュールと呼ばれる表示ブロックを挿入し、挿入後の表示ブロックを順次相互連結して表示装置を構成している。表示ブロックは、ガイドローラによってガイドレールに沿って横方向に移動自在にしてあるため、表示ブロックの横方向の移動にクレーンのような装置を不要にしている。
【先行技術文献】
【特許文献】
【００１０】
【特許文献１】特開２００９−２３７５１１号公報
【発明の概要】
【発明が解決しようとする課題】
【００１１】
表示ブロックの横方向の移動をガイドローラおよびガイドレールを用いて行う表示装置の設置方法は、表示ブロックを横方向に並べて構成される表示装置に限定され、表示ブロックを縦方向に積み上げて構成される表示装置に適用することはできない。すなわち、表示ブロックを縦方向に積み上げる場合、表示ブロックを横方向に並べる場合と同様に、表示ブロック同士は密着している必要がある。しかしながら、下から２段目以上では、ガイドレールを用いて表示ブロックを横方向に移動する構成とした場合、当該表示ブロックは、その下段に位置する表示ブロックと干渉することになる。このため、ガイドレールを用いて表示ブロックを横方向に並べる方法は、表示ブロックを縦方向に積み上げてより大型にするような表示装置に適用することはできないという問題点があった。
【００１２】
本発明はこのような点に鑑みてなされたものであり、表示ブロックを縦方向に積み上げて構成する場合に、横方向の移動にクレーンのような装置を使わないで組み立てることが可能な表示装置およびその設置方法を提供することを目的とする。
【課題を解決するための手段】
【００１３】
上記の課題を解決するために、１つの案では、表示装置が提供される。この表示装置は、正面に複数の発光素子が配置され、背面にはスライド部材が設けられ、縦横に近接配置することで１つの表示画面が構成される複数の表示ブロックと、表示ブロックの背面側に水平に配置され、内部の正面側にスライド部材をスライド自在に支持する第１のレベルおよび内部の背面側に第１のレベルよりも低い第２のレベルを有する複数のガイドレールと、を備えている。
【００１４】
また、１つの案では、正面に複数の発光素子が配置された表示ブロックを縦横に近接配置することで１つの表示画面を構成する表示装置の設置方法が提供される。この表示装置の設置方法は、表示ブロックを水平方向に平行に配置されたガイドレールの横に設置されたステージに下ろし、表示ブロックの背面に固定されたスライド部材をガイドレールのスライド面に設置して表示ブロックをガイドレールに沿って横に移動させ、表示ブロックの設置定位置にて表示ブロックを背面側に移動し、スライド部材をスライド面から離脱させてガイドレールに固定する、工程を含む。
【発明の効果】
【００１５】
上記構成によれば、表示ブロック移動用レールおよび表示ブロック固定用レールを有するガイドレールにより、下段の表示ブロックとのクリアランスを確保しつつ表示ブロックを移動でき、かつ、下段の表示ブロックと密着状態に固定できるという利点がある。
【図面の簡単な説明】
【００１６】
【図１】野球場のスコアボードへの適用例を示すイメージ図である。
【図２】表示ブロックの構成例を示す図であって、（Ａ）は表示ブロックの正面図、（Ｂ）は表示ブロックの背面図である。
【図３】表示ブロックの設置方法を示す図である。
【図４】表示ブロックの搬入方法を示す図である。
【図５】ガイドレールの構成例を示す図であって、（Ａ）はガイドレールの正面図、（Ｂ）は（Ａ）のＡ−Ａ矢視断面図である。
【図６】スライド部材の構成例を示す図である。
【図７】スライド部材のガイドレールへの挿入状態を示す図である。
【図８】表示ブロックが設置定位置に到達した状態を示す側面図である。
【図９】表示ブロックの固定過程を示す図であって、（Ａ）は表示ブロック固定ボルトの取り付け状態、（Ｂ）はスライド部材の引き込み状態、（Ｃ）はスライド部材の固定状態を示している。
【図１０】表示装置の従来の設置方法を示す斜視図である。
【図１１】表示ブロックの従来の搬入方法を示す図であって、（Ａ）は表示装置の側面から見た図、（Ｂ）は表示装置の正面から見た図である。
【発明を実施するための形態】
【００１７】
以下、本発明の実施の形態について、野球場に設置されるスコアボードに適用した場合を例に図面を参照して詳細に説明する。なお、各実施の形態は、矛盾のない範囲で複数の実施の形態を部分的に組み合わせて実施することができる。
【００１８】
図１は野球場のスコアボードへの適用例を示すイメージ図、図２は表示ブロックの構成例を示す図であって、（Ａ）は表示ブロックの正面図、（Ｂ）は表示ブロックの背面図である。
【００１９】
図１に示したスコアボードは、野球場の、たとえば、外野中堅の後方に設置される。このスコアボードには、大型の表示装置１０、時計１１および補助表示装置１２が備えられている。
【００２０】
表示装置１０は、チーム名、出場選手名、イニングスコア、審判名などを表示したり、選手紹介、リプレイなどの演出用の映像を表示したりする。時計１１は、現在の時刻をアナログ表示する。補助表示装置１２は、「ボール」、「ストライク」および「アウト」のカウント数を表示し、プレーに対する「ヒット」、「エラー」および「野手選択」といった公式記録情報を表示する。
【００２１】
表示装置１０は、複数の表示ブロック２０を縦横に並べて１つの大きな表示画面を構成している。この実施の形態では、表示ブロック２０を横に１５個並べ、縦に６個ずつ積み重ねて表示装置１０を構成している。この実施の形態では、表示ブロック２０の縦横の寸法を約１メートル（ｍ）としたので、表示装置１０は、縦が６ｍ、横が１５ｍの大型の映像装置を構成していることになる。
【００２２】
表示ブロック２０は、図２（Ａ）に示したように、正面に複数の表示ユニット２１を縦横に並べて構成される。この実施の形態では、表示ユニット２１を横に４個、縦に８個並べて表示ブロック２０を構成している。表示ユニット２１は、その全面に複数のフルカラー発光素子である発光ダイオードが配置され、表示装置１０の表示領域の一部を構成している。
【００２３】
表示ブロック２０は、図２（Ｂ）に示したように、筐体２２の背面に観音開きの扉２３を備えている。この扉２３は、保守点検時に開けて、表示ユニット２１を表示ブロック２０の背面からアクセスするためのものである。表示ユニット２１は、交換可能な部品の最小単位であるので、故障の場合には、扉２３を開けて故障した表示ユニット２１だけを交換することになる。
【００２４】
表示ブロック２０は、さらに、筐体２２の背面の四隅にスライド部材２４がねじ止めされ、筐体２２の上面には、吊り金具のアイボルト２５がねじ止めされている。スライド部材２４は、表示ブロック２０を横方向に移動して所定位置で固定するのに使用され、アイボルト２５は、表示ブロック２０を吊るすときに使用されるとともに表示装置１０を作り上げるときには表示ブロック２０から外される。
【００２５】
ここで、表示ブロック２０を縦横に近接配置して表示装置１０を作り上げるときの概要について説明する。
図３は表示ブロックの設置方法を示す図、図４は表示ブロックの搬入方法を示す図である。
【００２６】
表示装置１０が設置される野球場の建屋には、図３に示したように、表示ブロック設置固定用鋼材３０が表示ブロック２０の横幅分に等しい隣接表示ブロック取り付けピッチに等しい間隔を置いて複数設けられている。その表示ブロック設置固定用鋼材３０には、水平方向に延びる複数のガイドレール３１が固定されている。ガイドレール３１は、高さ方向に１つの表示ブロック２０当り２本ずつ固定されており、その２本のガイドレール３１の間隔は、表示ブロック２０の背面の上下にねじ止めされたスライド部材２４の取り付けピッチに等しい。
【００２７】
スコアボードの設置場所において、図４に示したように、表示装置１０の正面（グランド）側には、足場３２が組まれており、表示装置１０の左横には、荷下ろし用ステージ３３が設置されている。この荷下ろし用ステージ３３は、小型クレーン車３４によって吊り上げられた表示ブロック２０を荷下ろしするためのものであり、表示ブロック２０を設置する高さに応じて付け替えられる。なお、表示ブロック２０を荷下ろす場所は、定位置であり、しかも、建屋を跨ぎ越えして表示ブロック２０を荷下ろす必要がないため、従来よりも小さな小型クレーン車３４で対応可能である。
【００２８】
荷下ろし用ステージ３３に下ろされた表示ブロック２０は、その場で吊り金具のアイボルト２５が外される。これにより、表示ブロック２０は、ガイドレール３１に取り付けられ、ガイドレール３１により横方向へ移動され、設置定位置にてガイドレール３１に固定される。一方、荷下ろし用ステージ３３に表示ブロック２０を下ろした小型クレーン車３４は、吊り金具を外して直ちに次の表示ブロック２０の荷下ろしに取りかかることができる。しかも、小型クレーン車３４のオペレータは、荷下ろし用ステージ３３を目視できる位置にて迅速かつ安全に作業できることから、従来に比べて、作業時間を大幅に短縮することができる。
【００２９】
図４に示した最下段の表示ブロック２０の設置作業が終わると、次は、荷下ろし用ステージ３３を２段目に付け替える。２段目の場合も最下段の場合と同様に、小型クレーン車３４が荷下ろし用ステージ３３に表示ブロック２０を下ろし、下ろされた表示ブロック２０がガイドレール３１に取り付けられて横方向へ移動され、設置定位置にてガイドレール３１に固定される。このようにして、表示ブロック２０を最上段まで積み上げることによって、表示装置１０の設置が完了される。
【００３０】
次に、表示ブロック２０がガイドレール３１に沿って横方向へ移動される機構の詳細について説明する。
図５はガイドレールの構成例を示す図であって、（Ａ）はガイドレールの正面図、（Ｂ）は（Ａ）のＡ−Ａ矢視断面図であり、図６はスライド部材の構成例を示す図、図７はスライド部材のガイドレールへの挿入状態を示す図である。
【００３１】
ガイドレール３１は、図５（Ａ）および（Ｂ）に示したように、表示ブロック移動用レール４１、表示ブロック固定用レール４２、平鋼４３およびねじ４４を有し、表示ブロック移動用および表示ブロック固定用の二重構造になっている。平鋼４３は、表示ブロック固定用レール４２のフランジの内壁に密着するようねじ４４により固定されている。表示ブロック移動用レール４１は、表示ブロック固定用レール４２の上側のフランジに固定された平鋼４３と下側のフランジに固定された平鋼４３との間のスペースに配置されている。これにより、ガイドレール３１は、表示ブロック移動用レール４１の下側フランジの内面と表示ブロック固定用レール４２の下側フランジの内面とにレベル差が形成されている。このレベル差は、スライド部材２４が表示ブロック移動用レール４１に支持されているときに表示ブロック２０が直下の表示ブロック２０から浮上している量よりも大きく設定している。
【００３２】
表示ブロック移動用レール４１は、表示ブロック２０を横に移動するときに表示ブロック２０に固定されているスライド部材２４をスライドさせるためのものである。表示ブロック移動用レール４１は、スライド部材２４をスライドさせるときにスライド部材２４が脱落しないように開口部に折り返しのあるリップ溝形鋼の形状が用いられている。表示ブロック移動用レール４１は、また、そのウェブに、表示ブロック取り付けピッチおよび隣接表示ブロック取り付けピッチだけ隔てて円形の貫通孔４５が設けられている。この貫通孔４５は、スライド部材２４を表示ブロック移動用レール４１の後方（表示ブロック移動用レール４１のウェブと表示ブロック固定用レール４２のウェブとの間のスペース）に引き込むためのものである。なお、この貫通孔４５は、この実施の形態では、スライド部材２４の外形形状に合わせて円形に形成してあるが、四角で形成してもよい。また、スライド部材２４はリップ溝形鋼の形状であればよく、寸法や材質などの加工はこれに限定されない。
【００３３】
表示ブロック固定用レール４２は、表示ブロック移動用レール４１を収容し保持するために、溝形鋼の形状が用いられている。表示ブロック固定用レール４２は、そのウェブの、表示ブロック移動用レール４１の貫通孔４５に相当する位置に、縦方向に長い長円孔４６が形成されている。この長円孔４６は、その上方位置にてスライド部材２４を表示ブロック移動用レール４１の後方に引き込み、下方位置にてスライド部材２４を表示ブロック固定用レール４２に固定するための表示ブロック固定ボルトを通す孔である。表示ブロック固定用レール４２は、また、そのウェブに、ガイドレール３１を表示ブロック設置固定用鋼材３０にガイドレール固定ボルトで固定するためのガイドレール固定孔４７が形成されている。なお、表示ブロック固定用レール４２は溝形鋼の形状であればよく、寸法や材質などの加工はこれに限定されない。
【００３４】
表示ブロック２０のスライド部材２４は、図６に示したように、表示ブロック２０の筐体２２に固定される六角ボルト形状の固定部５１と、円柱形状の摺動部５２と、固定部５１および摺動部５２を連結する連結部５３とにより一体に形成されている。摺動部５２および連結部５３は、その中心軸に沿って摺動部５２の端面から雌ねじ部５４が形成されている。
【００３５】
表示ブロック２０は、荷下ろし用ステージ３３に下ろされた後、スライド部材２４の摺動部５２を表示ブロック移動用レール４１の端から挿入する。これにより、表示ブロック２０は、表示ブロック移動用レール４１に沿って軽く移動させることができる。図７に示したように、スライド部材２４と表示ブロック移動用レール４１の貫通孔４５とが一致する設置定位置まで表示ブロック２０が移動すると、この位置で、表示ブロック２０の固定が可能になる。
【００３６】
次に、表示ブロック２０が設置定位置まで移動した後にガイドレール３１に固定されるまでの機構の詳細について説明する。
図８は表示ブロックが設置定位置に到達した状態を示す側面図、図９は表示ブロックの固定過程を示す図であって、（Ａ）は表示ブロック固定ボルトの取り付け状態、（Ｂ）はスライド部材の引き込み状態、（Ｃ）はスライド部材の固定状態を示している。
【００３７】
図８には、設置済みの表示ブロック２０ｄの上に別の表示ブロック２０ｕを設置する場合が示されている。したがって、下段の表示ブロック２０ｄは、背面のスライド部材２４ｄが表示ブロック固定用レール４２ｄのウェブを挟んで表示ブロック固定ボルト５５ｄにより締結されることによって、ガイドレール３１ｄに固定されている。
【００３８】
設置定位置に到達した上段の表示ブロック２０ｕは、スライド部材２４ｕが表示ブロック移動用レール４１ｕに支持されているので、下段の表示ブロック２０ｄよりも浮上していて、かつ、前方（図の左側）に突出されている。
【００３９】
このとき、下段の表示ブロック２０ｄの筐体２２ｄの上面に、あらかじめ防水ゴム５６が載置されている。この防水ゴム５６は、たとえば長尺のものが使用され、下段の表示ブロック２０ｄを並べ終わった後にまとめて載置される。
【００４０】
次に、上段の表示ブロック２０ｕをガイドレール３１ｕに固定するには、図９（Ａ）に示したように、表示ブロック固定ボルト５５ｕが表示ブロック固定用レール４２ｕの長円孔４６ｕおよび表示ブロック移動用レール４１ｕの貫通孔４５ｕに挿入される。その後、表示ブロック固定ボルト５５ｕをスライド部材２４ｕの雌ねじ部５４ｕにねじ込むことにより、表示ブロック固定ボルト５５ｕの頭部が表示ブロック固定用レール４２ｕのウェブに接触された状態になる。
【００４１】
この接触状態のまま、さらに、表示ブロック固定ボルト５５ｕをスライド部材２４ｕの雌ねじ部５４ｕにねじ込むと、図９（Ｂ）に示したように、スライド部材２４ｕが後方（図の右側）に引き込まれていく。
【００４２】
さらに、表示ブロック固定ボルト５５ｕをスライド部材２４ｕの雌ねじ部５４ｕにねじ込むと、スライド部材２４ｕの摺動部５２ｕが表示ブロック移動用レール４１ｕから離脱される。表示ブロック２０ｕの４個のスライド部材２４ｕの摺動部５２ｕが表示ブロック移動用レール４１ｕから離脱されると、表示ブロック２０ｕは、自重で落下し、下段の表示ブロック２０ｄの筐体２２ｄの上面に載置された防水ゴム５６の上に載せられる。
【００４３】
その後、表示ブロック固定ボルト５５ｕを下側の２個のスライド部材２４ｕの雌ねじ部５４ｕにねじ込むと、表示ブロック２０ｕは、防水ゴム５６の上を引き摺られながら後方（図の右側）に移動されていく。そして、図９（Ｃ）に示したように、スライド部材２４ｕが表示ブロック固定用レール４２ｕに密着されるまで表示ブロック固定ボルト５５ｕでスライド部材２４ｕを引き込む。そして、上側の２個のスライド部材２４ｕも同様にして表示ブロック固定ボルト５５ｕで引き込むことで、表示ブロック２０ｕがガイドレール３１ｕに固定される。
【００４４】
このように、表示ブロック２０ｕが設置定位置に到達した後は、表示ブロック固定ボルト５５ｕをスライド部材２４ｕにねじ込んでいくだけで、スライド部材２４ｕを表示ブロック移動用レール４１ｕから離脱させることができる。また、表示ブロック固定ボルト５５ｕをスライド部材２４ｕにさらにねじ込むことで、表示ブロック２０ｕをガイドレール３１ｕに固定することができる。
【００４５】
なお、上記の実施の形態では、表示ブロック移動用レール４１によって支持されるスライド部材２４の部位を円柱形状の摺動部５２で構成したが、この摺動部５２をローラのような回転体によって構成することができる。または、スライド部材２４の摺動部５２の外周面および表示ブロック移動用レール４１のスライド面に潤滑剤を塗布してもよい。
【００４６】
また、上記の実施の形態では、１つの表示ブロック２０にスライド部材２４を上下に２個ずつ備えているが、表示ブロック２０の重量に応じてスライド部材２４の数を適当に増減することができる。
【００４７】
さらに、上記の実施の形態では、表示装置を野球のスコアボードに適用した場合について説明したが、これに限定されるものではなく、表示ブロックを縦横に近接配置して構成されるあらゆる表示装置に適用することができる。
【符号の説明】
【００４８】
１０  表示装置
１１  時計
１２  補助表示装置
２０，２０ｄ，２０ｕ  表示ブロック
２１  表示ユニット
２２，２２ｄ  筐体
２３  扉
２４，２４ｄ，２４ｕ  スライド部材
２５  アイボルト
３０  表示ブロック設置固定用鋼材
３１，３１ｄ，３１ｕ  ガイドレール
３２  足場
３３  荷下ろし用ステージ
３４  小型クレーン車
４１，４１ｕ  表示ブロック移動用レール
４２，４２ｄ，４２ｕ  表示ブロック固定用レール
４３  平鋼
４４  ねじ
４５，４５ｕ  貫通孔
４６，４６ｕ  長円孔
４７  ガイドレール固定孔
５１  固定部
５２，５２ｕ  摺動部
５３  連結部
５４，５４ｕ  雌ねじ部
５５ｄ，５５ｕ  表示ブロック固定ボルト
５６  防水ゴム
【図１】
2018054909.tif 000003
【図２】
2018054909.tif 000004
【図３】
2018054909.tif 000005
【図４】
2018054909.tif 000006
【図５】
2018054909.tif 000007
【図６】
2018054909.tif 000008
【図７】
2018054909.tif 000009
【図８】
2018054909.tif 000010
【図９】
2018054909.tif 000011
【図１０】
2018054909.tif 000012
【図１１】
2018054909.tif 000013